【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
少なくとも１つのインフラストラクチャ提供モジュールを取り付けるための少なくとも１つの取り付け構造体を有するパレットと、
前記少なくとも１つのインフラストラクチャ提供モジュールを電気的に接続するための少なくとも１つのモジュール式の電力用接続部を有する電力バスと、
前記少なくとも１つのインフラストラクチャ提供モジュールを通信可能に接続するための少なくとも１つのモジュール式の制御用接続部を有する制御バスと、
前記パレットに取り付けられ、前記電力バスと前記制御バスに接続された複数のインフラストラクチャ提供モジュールと、
を備えるモジュール式のインフラストラクチャサービス提供装置であって、
前記複数のインフラストラクチャ提供モジュールは、制御モジュール、通信モジュール、電力モジュール、水濾過モジュール、空気モジュール、バッテリモジュール、補助電力モジュール、セキュリティモジュール、油圧式電力モジュール、空圧式コンプレッサモジュール、高流量空気ブロワモジュール及び冷却モジュールから成るグループから選ばれる
ことを特徴とするインフラストラクチャサービス提供装置。
【請求項２】
請求項１記載のインフラストラクチャサービス提供装置において、前記電力バス及び前記制御バスは、少なくとも１つの別の電力バス及び制御バスにそれぞれ接続する結合部を備えることを特徴とするインフラストラクチャサービス提供装置。
【請求項３】
請求項１記載のインフラストラクチャサービス提供装置において、前記電力バスは、補助電力源を接続するための補助電力用結合部を備え、前記補助電力用結合部は、前記補助電力用結合部を介して電力の流れを制御するスイッチを備えることを特徴とするインフラストラクチャサービス提供装置。
【請求項４】
請求項３記載のインフラストラクチャサービス提供装置において、前記制御バスは、前記スイッチに接続されていることを特徴とするインフラストラクチャサービス提供装置。
【請求項５】
請求項１〜４のいずれか１項に記載のインフラストラクチャサービス提供装置において、前記パレットは、さらに、運搬車、エア式リフト台車、線路、二輪式リヤカー、及びバックパックから成るグループから選ばれた移動機構を備えることを特徴とするインフラストラクチャサービス提供装置。
【請求項６】
請求項１〜５のいずれか１項に記載のインフラストラクチャサービス提供装置において、前記パレットに取り付けられ、前記電力バス及び前記制御バスに接続された通信モジュールが、遠隔制御装置から信号を受信し、前記パレットに取り付けられ、前記電力バス及び前記制御バスに接続された制御モジュールに前記信号を送信し、前記遠隔制御装置からの前記信号は、所定の方法で前記制御モジュールを動作させる制御信号を含むことを特徴とするインフラストラクチャサービス提供装置。
【請求項７】
請求項１〜６のいずれか１項に記載のインフラストラクチャサービス提供装置において、
前記インフラストラクチャサービス提供装置は、
読み出し／書き込みメモリ装置と入出力装置と電源と通信ポートに接続された中央演算処理装置を有する制御モジュールと、
電力供給用導線と少なくとも１つの電力用結合部とを有する前記電力バスと、
制御信号用導線と少なくとも１つの制御用結合部とを有する前記制御バスと、
を備え、
前記電力バスは、前記制御モジュールの前記電源に接続され、前記制御バスは、前記制御モジュールの前記通信ポートに接続されることを特徴とするインフラストラクチャサービス提供装置。
【請求項８】
請求項７記載のインフラストラクチャサービス提供装置において、さらに、少なくとも１つの双方向通信装置を有する通信モジュールを備え、前記通信モジュールは前記電力バス及び前記制御バスに接続され、前記通信モジュールは、さらに、前記制御バスを介して、前記制御モジュールに対して信号の送受信を行うように構成されていることを特徴とするインフラストラクチャサービス提供装置。
【請求項９】
請求項７記載のインフラストラクチャサービス提供装置において、前記通信モジュールの前記双方向通信装置は、衛星通信システム、無指向性送受信装置、見通し通信システム、セルラー方式通信システム、双方向ページングシステム及び無線広帯域通信システムから成るグループから選ばれることを特徴とするインフラストラクチャサービス提供装置。
【請求項１０】
請求項７記載のインフラストラクチャサービス提供装置において、さらに、前記電力バス及び前記制御バスに接続された電力モジュールを備え、前記電力モジュールは、前記電力バスに電力を供給し、前記制御モジュールから前記制御バスを介して受信した信号によって制御されることを特徴とするインフラストラクチャサービス提供装置。
【請求項１１】
請求項１０記載のインフラストラクチャサービス提供装置において、前記電力モジュールは、発動機駆動式の発電装置、燃料電池、バッテリ、太陽電池、及び風力発電装置から成るグループから選ばれた発電装置を有することを特徴とするインフラストラクチャサービス提供装置。
【請求項１２】
請求項１０記載のインフラストラクチャサービス提供装置において、さらに、水濾過モジュールを備え、前記水濾過モジュールは、
膜フィルタと、
逆浸透濾過ユニットと、
紫外線水処理ユニットと、
を備え、
前記膜フィルタは、汚れた水を受け、濾過するように構成されており、前記逆浸透濾過ユニットは、前記濾過された水を受け取れるように前記膜フィルタに接続されており、前記逆浸透濾過ユニットは、その水を、前記逆浸透濾過ユニットを通して、前記逆浸透濾過ユニットに接続された前記紫外線水処理ユニットへ流すことを特徴とするインフラストラクチャサービス提供装置。
【請求項１３】
請求項１２記載のインフラストラクチャサービス提供装置において、さらに、前記膜フィルタの下流側に結合された軟水化装置を備えることを特徴とするインフラストラクチャサービス提供装置。
【請求項１４】
請求項１２記載のインフラストラクチャサービス提供装置において、さらに、流れる水に対して水処理添加剤を注入するように構成された水処理添加剤ディスペンサを備え、前記水処理添加剤ディスペンサは、前記膜フィルタの上流側に結合されることを特徴とするインフラストラクチャサービス提供装置。
【請求項１５】
請求項７記載のインフラストラクチャサービス提供装置において、さらに、水濾過モジュールを備え、前記水濾過モジュールは、
流入口から流出口へと水を流す流路と、
前記流入口の下流側で前記流路に直列に結合された前段フィルタと、
前記前段フィルタの下流側で前記流路に直列に結合された軟水化装置と、
前記軟水化装置の下流側で前記流路に直列に結合された逆浸透膜と、
前記流路の前記流出口と前記逆浸透膜との間で前記流路に結合された貯蔵タンクと、
を備えるインフラストラクチャサービス提供装置。
【請求項１６】
請求項１５記載のインフラストラクチャサービス提供装置において、前記水濾過モジュールは、さらに、
前記貯蔵タンクの下流側での前記流路に直列に結合された後段フィルタと、
前記後段フィルタと前記流路の前記流出口との間の前記流路に直列で結合された紫外線水処理装置と、
を備えることを特徴とするインフラストラクチャサービス提供装置。
【請求項１７】
請求項１又は７記載のインフラストラクチャサービス提供装置において、さらに、水濾過モジュールを備え、前記水濾過モジュールは、
流入口から流出口へと水を流す流路と、
前記流入口の下流側で前記流路に直列に結合された前段フィルタと、
前記前段フィルタの下流側で前記流路に直列に結合された軟水化装置と、
前記軟水化装置の下流側で前記流路に直列に結合された逆浸透膜と、
前記流路の前記流出口と前記逆浸透膜との間で前記流路に結合された貯蔵タンクと、
を備えるインフラストラクチャサービス提供装置。
【請求項１８】
請求項１７記載のインフラストラクチャサービス提供装置において、前記水濾過モジュールは、さらに、前記流路の前記流出口と前記逆浸透膜との間で前記流路に結合された貯蔵タンクを備えることを特徴とするインフラストラクチャサービス提供装置。
【請求項１９】
請求項１８記載のインフラストラクチャサービス提供装置において、さらに、前記貯蔵タンクの下流側で前記流路に直列に結合された後段フィルタと、前記後段フィルタと前記流路の前記流出口との間で前記流路に直列に結合された紫外線水処理装置と、を備えることを特徴とするインフラストラクチャサービス提供装置。
【請求項２０】
請求項１７記載のインフラストラクチャサービス提供装置において、前記水濾過モジュールは、さらに、前記前段フィルタの下流側で前記流路に直列で結合された水処理添加剤ディスペンサを備えることを特徴とするインフラストラクチャサービス提供装置。
【請求項２１】
請求項１７記載のインフラストラクチャサービス提供装置において、前記水処理添加剤ディスペンサは、前記流路を流れる水に、ヨウ素、次亜塩素酸ナトリウム、及びオゾンから成るグループから選ばれた添加剤を与えるように構成されていることを特徴とするインフラストラクチャサービス提供装置。
【請求項２２】
少なくとも１つのインフラストラクチャの要求を満たすための少なくとも１つのインフラストラクチャ提供モジュールを、モジュール式の支持構造体に取り付ける工程と、
前記少なくとも１つのインフラストラクチャの要求がある場所に前記モジュール式の支援構造体を配置する工程と、
前記モジュール式の支持構造体の周辺の領域で、前記少なくとも１つのインフラストラクチャ提供モジュールを動作させる工程と、
を備えるインフラストラクチャサービスを提供する方法。
【請求項２３】
請求項２２記載のインフラストラクチャサービスを提供する方法において、さらに、前記少なくとも１つのインフラストラクチャ提供モジュールを電力バス及び制御バスに接続して、前記少なくとも１つのインフラストラクチャ提供モジュールに電力及び制御信号を供給する工程を備えるインフラストラクチャサービスを提供する方法。
【請求項２４】
請求項２２記載のインフラストラクチャサービスを提供する方法において、さらに、通信モジュールを前記電力バス及び前記制御バスに接続して、前記遠隔制御装置と前記少なくとも１つのインフラストラクチャ提供モジュールとの間の通信を可能とする工程を備えるインフラストラクチャサービスを提供する方法。
【請求項２５】
請求項２２記載のインフラストラクチャサービスを提供する方法において、さらに、通信モジュールを前記電力バス及び前記制御バスに接続して、前記遠隔制御装置と複数のインフラストラクチャ提供モジュールとの間の通信を可能とする工程を備えるインフラストラクチャサービスを提供する方法。
【請求項２６】
遠隔制御装置と、
前記遠隔制御装置と通信するように構成された双方向無線通信モジュールを有する協調ネットワークにおいて互いに接続された複数のインフラストラクチャ提供モジュールを有する少なくとも１つの統合型インフラストラクチャサービス提供システムとを用いる後方支援方法であって、
前記遠隔制御装置において、前記通信モジュールを介して前記インフラストラクチャ提供モジュールから受信した信号を用いて、前記ネットワークに接続された前記複数のインフラストラクチャ提供モジュールの機能を監視する工程と、
前記遠隔制御装置において、前記複数のインフラストラクチャ提供モジュールのメンテナンスの必要性、又は、消耗品の在庫が所定のレベル以下にあるか否かを判定する工程と、
前記遠隔制御装置において、前記少なくとも１つの統合型インフラストラクチャサービス提供システムのメンテナンスの予定及び前記統合型インフラストラクチャサービス提供システムへの消耗品の配送の予定を別々に作成する工程と、
を備える後方支援方法。